(57)【特許請求の範囲】
【請求項１】
内壁及び外壁を有すると共に側方に開口を有する箱状のケースと、前記内壁及び前記外壁の間に設けられる断熱材と、前記ケースの開口を開閉する扉とを備える収納庫であって、
前記内壁及び前記外壁の間には、前記ケースの開口を囲む角パイプによって枠状に形成された第１の角パイプ枠が設けられ、
前記扉は、前記外壁を介して前記第１の角パイプ枠に対して取り付けられ、
前記第１の角パイプ枠の角パイプの内部には、断熱部材が装填されることを特徴とする、収納庫。
【請求項２】
前記第１の角パイプ枠と前記外壁との間には、隙間が形成されないようにシール部材が設けられていることを特徴とする、請求項１に記載の収納庫。
【請求項３】
前記断熱部材が、独立気泡型であることを特徴とする、請求項１又は２に記載の収納庫。
【請求項４】
前記内壁及び前記外壁の間には、前記ケースの開口が設けられる前面に対向する背面の端部に沿う角パイプによって枠状に形成された第２の角パイプ枠をさらに備え、
前記第１の角パイプ枠は、前記前面側に設けられると共に、前記第２の角パイプ枠は、前記背面側に設けられていることを特徴とする、請求項１〜３のいずれか１項に記載の収納庫。
【発明の詳細な説明】
【技術分野】
【０００１】
本発明は、収納庫に関し、特に、内壁及び外壁を有すると共に側方に開口を有するケースに対してケースの開口を開閉する扉が取り付けられる収納庫に関する。
【背景技術】
【０００２】
従来、内壁及び外壁を有すると共に側方に開口を有するケースに対してケースの開口を開閉する扉が取り付けられる収納庫の一例として、内壁及び外壁の間に断熱材が設けられる断熱性容器が開発されている（例えば、特許文献１参照）。
【０００３】
また、上記した特許文献１の他にもケースの開口を開閉する扉が取り付けられる収納庫が知られている。図８は、従来の一例に係る収納庫の全体構成を示した斜視図であり、図９は、図８に示した従来の収納庫の水平方向の断面図である。ここで、図８及び図９を参照して、従来の一例に係る収納庫２０１について説明する。
【０００４】
収納庫２０１は、図８及び図９に示すように、外壁２３０及び内壁２４０を有する箱状のケース２１０と、当該ケース２１０の開口２１０ａを開閉する扉２２０と、外壁２３０及び内壁２４０の間に設けられるガラスウールなどの断熱材２５１とを備えている。ケース２１０は、図９に示すように、モノコック構造であり、外壁２３０及び内壁２４０を組み付けることにより形状が保持されている。そして、外壁２３０及び扉２２０には、蝶番２２１が取り付けられ、扉２２０をケース２１０に対して開閉可能に支持している。この蝶番２２１を固定するためのネジ２２２は、それぞれ外壁２３０及び扉２２０に対して締め付けられて固定される。また、ケース２１０の扉２２０に対向する端面には、リベット２６７により断熱板２６８が取り付けられている。
【０００５】
【特許文献１】特開平８−２９０５０号公報
【発明の開示】
【発明が解決しようとする課題】
【０００６】
図８及び図９に示した収納庫では、扉２２０を開閉可能に支持する蝶番２２１を固定するためのネジ２２２が外壁２３０に対して締め付けられているため、扉２２０の荷重を外壁２３０のみで支持しなければならない。特に、外壁２３０及び内壁２４０の間に設けられる断熱材２５１としてガラスウールが用いられている場合には、断熱材２５１そのものに強度を期待できない。そのため、外壁２３０が扉２２０の荷重を支持しきれなくなり、扉２２０がケース２１０に対して下がってしまうという問題があった（図８参照）。
【０００７】
そこで、本発明は、上記課題を鑑みなされたものであって、ケースに対して扉が下がってしまうのを抑制することが可能な収納庫を提供することを目的としている。
【課題を解決するための手段および発明の効果】
【０００８】
上記目的を達成するために、この発明の収納庫は、内壁及び外壁を有すると共に側方に開口を有する箱状のケースと、内壁及び外壁の間に設けられる断熱材と、ケースの開口を開閉する扉とを備える収納庫であって、内壁及び外壁の間には、ケースの開口を囲む角パイプによって枠状に形成された第１の角パイプ枠が設けられ、扉は、外壁を介して第１の角パイプ枠に対して取り付けられ、前記第１の角パイプ枠の角パイプの内部には、断熱部材が装填される。
【０００９】
上記構成によれば、第１の角パイプ枠に対して、扉を取り付けることができる。この第１の角パイプ枠は、角パイプによって枠状に形成されて、大きな機械的強度を有するので、扉を強固に取り付けることができる。その結果、扉の荷重が、扉と第１の角パイプ枠との取り付け部分に集中して加わる場合でも、ケースに対して扉が下がってしまうのを抑制することができる。さらに、ケースに対して扉が下がってしまうのを抑制することにより、ケースの内外の断熱性や気密性を保持することができ、ケース内の環境を一定に保つことができる。
また、第１の角パイプ枠の角パイプの内部には、断熱部材が装填されているので、角パイプに対して形成されるタップ穴などをいずれの箇所に設ける場合でも、当該断熱部材を介して、外壁と内壁との間の断熱材に空気が入り込んでしまうのを防止することができる。
【００１０】
この場合、好ましくは、第１の角パイプ枠と外壁との間には、隙間が形成されないようにシール部材が設けられている。このように構成すれば、第１の角パイプ枠と外壁との間から、断熱材が設けられる外壁と内壁との間に空気が入り込むのを防止することができる。これにより、外壁と内壁との間の断熱材による断熱性が損なわれるのを防止することができる。さらに、断熱材に空気が入り込むのを防止することにより、断熱材に結露するのを防止することができ、断熱材の断熱性が低下するのを防止することができる。
【００１１】
上記第１の角パイプ枠を備えた収納庫において、好ましくは、第１の角パイプ枠の角パイプの内部には、独立気泡型の断熱部材が装填されている。このように構成すれば、角パイプに対して形成されるタップ穴などをいずれの箇所に設ける場合でも、当該独立気泡型の断熱部材を介して、外壁と内壁との間の断熱材に空気が入り込んでしまうのを防止することができる。
【００１２】
上記収納庫において、好ましくは、内壁及び外壁の間には、ケースの開口が設けられる前面に対向する背面の端部に沿う角パイプによって枠状に形成された第２の角パイプ枠をさらに備え、第１の角パイプ枠は、前面側に設けられると共に、第２の角パイプ枠は、背面側に設けられている。このように構成すれば、大きな機械的強度を有する第１の角パイプ枠及び第２の角パイプ枠を、それぞれケースの前面側及び背面側に設けることができる。これにより、ケースが骨組みを有さないモノコック構造であっても、ケースの機械的強度を補うことができる。
【発明を実施するための最良の形態】
【００１３】
以下、本発明を具体化した実施形態を図面に基づいて説明する。
【００１４】
図１は、本発明の一実施形態に係る恒温槽の全体構成を示した斜視図である。図２は、図１に示した恒温槽の水平方向の断面図である。図３は、図１に示した恒温槽の分解斜視図である。図４は、図１に示した恒温槽の天板と側板との接続部分を示した断面図であり、図５は、図１に示した恒温槽の底板と側板との接続部分を示した断面図である。図６は、図２に示した扉の取り付け部分におけるネジの取り付け前の状態を示した拡大図である。以下、図１〜図６を参照して、本発明の一実施形態に係る恒温槽１について説明する。なお、本実施形態では、収納庫の一例である恒温槽に本発明を適用した場合について説明する。
【００１５】
本実施形態の恒温槽１は、環境試験装置などの断熱構造体であって、ケース１０の内外の断熱性及び気密性を保持する構造となっている。図１に示すように、この恒温槽１は、主として、側方に開口１０ａを有する箱状のケース１０と、当該ケース１０の開口１０ａを開閉する扉２０とから構成されている。
【００１６】
ケース１０は、図２に示すように、外壁３０及び内壁４０を有し、その外壁３０及び内壁４０の間にガラスウールなどの断熱材５１が装填された断熱構造になっている。また、ケース１０は、骨組みを有さないモノコック構造であり、外壁３０及び内壁４０を組み付けることにより形状が保持されている。外壁３０は、図２及び図３に示すように、恒温槽１の外観を構成する天板３１、底板３２、右側板３３、左側板３４、及び、背面板３５を含んでいると共に、内壁４０は、外壁３０の天板３１に対向する天板４１（図４参照）、外壁３０の底板３２に対向する底板４２（図５参照）、外壁３０の右側板３３に対向する右側板４３、外壁３０の左側板３４に対向する左側板４４、及び、外壁３０の背面板３５に対向する背面板４５を含んでいる。外壁３０の天板３１、底板３２、右側板３３及び左側板３４のそれぞれには、図３に示すように、後述する前面側角パイプ枠８０を嵌め込むため切欠部３１ａ〜３４ａと、後述する背面側角パイプ枠９０を嵌め込むための切欠部３１ｂ〜３４ｂとが形成されている。これにより、各切欠部３１ａ〜３４ａに前面側角パイプ枠８０を嵌め込み且つ各切欠部３１ｂ〜３４ｂに背面側角パイプ枠９０を嵌め込んだ状態で、外壁３０と内壁４０を組み付けることにより、前面側角パイプ枠８０及び背面側角パイプ枠９０を内壁４０と外壁３０との間に配置することが可能となる。そして、本実施形態では、図２に示すように、前面側角パイプ枠８０（角パイプ８１〜８４）と外壁３０（天板３１、底板３２、右側板３３，左側板３４）との間、及び、背面側角パイプ枠９０（角パイプ９１〜９４）と外壁３０（天板３１、底板３２、右側板３３，左側板３４）との間には、隙間が形成されないようにシール部材としてホットメルト５２が設けられており、緊密に接着されている。
【００１７】
また、図４に示すように、外壁３０の天板３１には、後述する右側板３３の立設片３３ｃ及び左側板３４の立設片３４ｃにそれぞれ当接する立設片３１ｃ及び３１ｄが設けられている。また、図５に示すように、外壁３０の底板３２にも、後述する右側板３３の立設片３３ｄ及び左側板３４の立設片３４ｄにそれぞれ当接する立設片３２ｃ及び３２ｄが設けられている。また、図４及び図５に示すように、外壁３０の右側板３３には、上記した天板３１の立設片３１ｃ及び底板３２の立設片３２ｃに当接する立設片３３ｃ及び３３ｄが設けられている。また、外壁３０の左側板３４にも、上記した天板３１の立設片３１ｄ及び底板３２の立設片３２ｄに当接する立設片３４ｃ及び３４ｄが設けられている。そして、天板３１の立設片３１ｃと右側板３３の立設片３３ｃとが当接する部分、及び、天板３１の立設片３１ｄと左側板３４の立設片３４ｃとが当接する部分には、ホットメルト５３が設けられて緊密に接着され、当該部分から空気が出入りするのを防止している。また同様に、底板３２の立設片３２ｃと右側板３３の立設片３３ｄとが当接する部分、及び、底板３２の立設片３２ｄと左側板３４の立設片３４ｄとが当接する部分にも、ホットメルト５４が設けられて緊密に接着され、当該部分から空気が出入りするのを防止している。
【００１８】
また、外壁３０の底板３２には、図３及び図５に示すように、ケース１０の奥行き方向に沿って延びる２つの仕切部材３２ｅ及び３２ｆが並列に設けられている。この仕切部材３２ｅと立設片３２ｃとの間、及び、仕切部材３２ｆと立設片３２ｄとの間には、内壁３０の荷重を支持するためのＳＭＣ（シートモールディングコンパウンド）製の断熱板６１が配置されている。
【００１９】
また、外壁３０の背面板３５には、図２に示すように、送風モータ６２を取り付けるためのモータ取付部３５ａが設けられている。この背面板３５は、ネジ５５によって、背面板３５の端部に沿って枠状に形成されたパッキン６３を介して、外壁３０及び後述する背面側角パイプ枠９０に取り付けられている。そして、外壁３０の背面板３５と内壁４０の背面板４５との間には、送風モータ６２を支持するモータ補強板６４が配置されている。このモータ補強板６４は、ネジ５６によって、後述する背面側角パイプ枠９０に取り付けられている。
【００２０】
ケース１０の開口１０ａが設けられる前面側の端面には、図２及び図３に示すように、額縁６５が取り付けられている。この額縁６５の前記ケース１０の端面に対向する面には、断面円形状のパッキン６６を嵌め込むための溝６５ａと、シーラント６７を充填するための溝６５ｂとが形成されている。そして、溝６５ａにパッキン６６を嵌め込むと共に溝６５ｂにシーラント６７を塗布した状態で、額縁６５をケース１０の端面に取り付けることにより、額縁６５と端面との間から空気が出入りするのを防止することができる。この額縁６５は、リベット６８により外壁３０及び後述する前面側角パイプ枠８０に固定される。
【００２１】
ここで、本実施形態では、図３に示すように、ケース１０の外壁３０及び内壁４０の間には、ケース１０の開口１０ａを囲むように４本の角パイプ８１〜８４が枠状に組み付けられた前面側角パイプ枠８０が設けられている。この前面側角パイプ枠８０を構成する４本の角パイプ８１〜８４は、隣接する角パイプのコーナー部分がＬ字形状の連結金具８５で連結されて、枠状に組みつけられている。また、各角パイプ８１〜８４の内部には、ウレタンなどの独立気泡型の断熱部材８６が装填されている。
【００２２】
また、本実施形態では、ケース１０の外壁３０及び内壁４０の間には、前述した前面側角パイプ枠８０とは異なる背面側角パイプ枠９０が設けられている。上記した前面側角パイプ枠８０は、ケース１０の開口１０ａが設けられる前面側に設けられるのに対して、この背面側角パイプ枠９０は、前面側に対向する背面側に設けられている。この背面側角パイプ枠９０を構成する４本の角パイプ９１〜９４も、前面側角パイプ枠８０の角パイプ８１〜８４と同様に、隣接する角パイプのコーナー部分がＬ字形状の連結金具９５で連結されて、枠状に組みつけられている。また、この各角パイプ９１〜９４の内部にも、ウレタンなどの独立気泡型の断熱部材９６が装填されている。
【００２３】
扉２０は、図２に示すように、上記したケース１０と同様に、内部にガラスウールなどの断熱材２０ａが装填された断熱構造になっている。本実施形態では、扉２０は、側端部に取り付けられた２つの蝶番２１（図１参照）を介して、外壁３０の左側板３４及び前面側角パイプ枠８０に取り付けられている。具体的には、蝶番２１を前面側角パイプ枠８０に取り付けるためのネジ２２は、図２及び図６に示すように、蝶番２１の貫通孔２１ａ及び左側板３４の貫通孔３４ａを介して、前面側角パイプ枠８０の角パイプ８４に形成されるタップ穴８４ａに対して締め付けられ、且つ、蝶番２１を扉２０に取り付けるためのネジ２３は、蝶番２１の貫通孔２１ｂを介して、扉２０の側端部に形成されるタップ穴２０ｂに対して締め付けられる。このようにして、扉２０がケース１０に対して開閉可能に支持される。
【００２４】
上記したように、本実施形態では、外壁３０の左側板３４を介して前面側角パイプ枠８０に対して、扉２０を取り付けることができる。この前面側角パイプ枠８０は、複数の角パイプ８１〜８４が連結金具８５により枠状に組み付けられて、大きな機械的強度を有するので、扉２０を強固に取り付けることができる。その結果、扉２０の荷重が、扉２０と角パイプ枠８０との取り付け部分に集中して加わる場合でも、ケース１０に対して扉２０が下がってしまうのを抑制することができる。さらに、ケース１０に対して扉２０が下がってしまうのを抑制することにより、ケース１０の内外の断熱性や気密性を保持することができる。その結果、断熱性や気密性に優れた環境試験装置などの断熱構造体を得ることができる。
【００２５】
また、本実施形態では、大きな機械的強度を有する前面側角パイプ枠８０及び背面側角パイプ枠９０を、それぞれケース１０の前面側及び背面側に設けることによって、ケース１０が骨組みを有さないモノコック構造であっても、ケース１０の機械的強度を補うことができる。
【００２６】
また、本実施形態では、前面側角パイプ枠８０と外壁３０との間、及び、背面側角パイプ枠９０と外壁３０との間に、隙間が形成されないようにホットメルト５２を設けることによって、前面側角パイプ枠８０と外壁３０との間、及び、背面側角パイプ枠９０と外壁３０との間から、断熱材５１が設けられる外壁３０と内壁４０との間に空気が入り込むのを防止することができる。これにより、外壁３０と内壁４０との間の断熱材５１による断熱性が損なわれるのを防止することができる。さらに、断熱材５１に空気が入り込むのを防止することにより、断熱材５１に結露するのを防止することができ、断熱材５１の断熱性が低下するのを防止することができる。
【００２７】
また、本実施形態では、前面側角パイプ枠８０の角パイプ８１〜８４の内部及び背面側角パイプ枠９０の角パイプ９１〜９４の内部に、独立気泡型の断熱部材８６，９６を装填することによって、ネジ２２，５５，５６を締め付けるためのタップ穴８４ａを、前面側角パイプ枠８０及び背面側角パイプ枠９０のいずれの箇所に設ける場合でも、当該独立気泡型の断熱部材８６，９６を介して、外壁３０と内壁４０との間の断熱材５１に空気が入り込んでしまうのを防止することができる。
【００２８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００２９】
例えば、上記実施形態では、収納庫の一例として恒温槽を示したが、本発明はこれに限らず、恒温槽以外の他の収納庫にも適用可能である。
【００３０】
また、上記実施形態では、前面側角パイプ枠８０と外壁３０との間、及び、背面側角パイプ枠９０と外壁３０との間に、シール部材としてホットメルト５２を設ける例について説明したが、本発明はこれに限らず、図７の変形例に示すように、前面側角パイプ枠１８０と外壁１３０との間に、ネジ１２２やリベット１６８を挿入可能な円環形状の両面テープ１５２を貼り付けても良い。同様にして、背面側角パイプ枠と外壁との間に、上記した両面テープを貼り付けても良い。
【００３１】
また、上記実施形態では、４本の角パイプを枠状に組み付ける例について説明したが、本発明はこれに限らず、１本の角パイプを枠状に形成した角パイプ枠を用いても良い。
【図面の簡単な説明】
【００３２】
【図１】本発明の一実施形態に係る恒温槽の全体構成を示した斜視図である。
【図２】図１に示した恒温槽の水平方向の断面図である。
【図３】図１に示した恒温槽の分解斜視図である。
【図４】図１に示した恒温槽の天板と側板との接続部分を示した断面図である。
【図５】図１に示した恒温槽の底板と側板との接続部分を示した断面図である。
【図６】図２に示した扉の取り付け部分におけるネジの取り付け前の状態を示した拡大図である。
【図７】図２に示した扉の取り付け部分の変形例を示した拡大図である。
【図８】従来の一例に係る収納庫の全体構成を示した斜視図である。
【図９】図８に示した従来の収納庫の水平方向の断面図である。
【符号の説明】
【００３３】
１ 恒温槽
１０ ケース
１０ａ 開口
２０ 扉
３０ 外壁
４０ 内壁
５１ 断熱材
５２ ホットメルト
８０ 前面側角パイプ枠
８１〜８４ 角パイプ
９０ 背面側角パイプ枠
９１〜９４ 角パイプ
８６，９６ 断熱部材
１５２ 両面テープ
【図１】
0004878341.tif 000002
【図２】
0004878341.tif 000003
【図３】
0004878341.tif 000004
【図４】
0004878341.tif 000005
【図５】
0004878341.tif 000006
【図６】
0004878341.tif 000007
【図７】
0004878341.tif 000008
【図８】
0004878341.tif 000009
【図９】
0004878341.tif 000010